(57)【要約】      （修正有）【課題】宅地化など土地の状況変化に早期に対応でき、安価で場所を取らず、住宅密集地などでも簡単かつコンパクトに設置できる昇塔防止装置を提供する。【解決手段】側面ユニット１，１は、逆台形状に形成された取付フレーム１ａと、該取付フレーム１ａ内に張設された金網１ｂとを備え、下端側が鉄塔の脚柱３を支持する基礎４の頂面上に収まるように縮径された基底部１ａ１  と、該基底部１ａ１  から上端部１ａ２  に行くに連れて次第に斜材５に沿って拡径されるべく形成された側端部１ａ３  とを備える。同様に内面ユニット２は、二折り自在に形成された逆台形状の取付フレームと、該取付フレーム内に張設された金網とを備え、下端側が前記基礎４の上に収まるように縮径された基底部と、該基底部から上端部に行くに連れて次第に拡径されるべく形成された側端部とを備え、中心より二つに折り畳めるように折畳フレームの中心に蝶番を介して連結せしめる。【選択図】図３
0003119736.tif 000002
【実用新案登録請求の範囲】
【請求項１】
鉄塔の脚柱及び／又は斜材を囲繞すべく組み付けられる側面ユニットと内面ユニットとを備えてなることを特徴とする昇塔防止装置。
【請求項２】
折り畳み自在に連結された側面ユニットと内面ユニットとを組み合わせて鉄塔の脚柱及び／又は斜材を囲繞すべく立体的に整合されることを特徴とする請求項１に記載の昇塔防止装置。
【請求項３】
鉄塔の脚柱及び／又は斜材の基底部側面を覆うべく二折り自在に連結された側面ユニットと、該側面ユニットの折曲連結部と対向配置に組み付けられて前記脚柱及び／又は斜材の基底部内面を囲繞すべく前記側面ユニットと立体的に整合される内面ユニットとからなることを特徴とする昇塔防止装置。
【請求項４】
前記側面ユニット及び／又は内面ユニットは、下端側が鉄塔を支持する基礎の頂面に収まるように縮径された基底部と、該基底部から上位に行くに連れて前記脚柱及び／又は斜材に沿って拡径されるべく形成された側端部とを備えてなることを特徴とする請求項１、２又は３に記載の昇塔防止装置。
【考案の詳細な説明】
【技術分野】
【０００１】
本考案は、住宅地、公園等の環境に調和したコンパクトでかつ安価である鉄塔設置型フェンスを実用化し、コストの低減を図ることができる有用な昇塔防止装置に関する。
【背景技術】
【０００２】
従来、鉄塔の公衆災害防止対策として、一定の高さ以上昇れないようにする昇塔防止装置や鉄塔を囲繞する周囲柵の設置を行っている。昇塔防止装置としては、例えば、鉄塔の脚柱等の外周に配設される昇塔防止ユニットを周方向に複数個に分割し、その分割した複数個の昇塔防止ユニットを一対の支持部材を介して鉄塔の脚柱等に取付け支持させる構成とし、その各支持部材の脚柱等との当接部を平面略山形に形成して両支持部材間に脚柱等を挟んでボルト・ナットで締め付け固定すると共に、その各支持部材に上記の分割した昇塔防止用ユニットをそれぞれ上記脚柱等の略周方向に位置調整可能に取付けている
(例えば、特許文献１参照)。
【特許文献１】特開平８−６８２３７号
【考案の開示】
【考案が解決しようとする課題】
【０００３】
しかしながら、上述した従来の昇塔防止装置にあっては、同防止装置を設置すべき鉄塔の脚柱等の径の大きさが異なる場合にも設置できるといった利点を有するものの、各昇塔防止ユニットが複数の放射状部材で組み付けられているため、取り付けが煩雑であり、また、機能が取付部周辺に限定されることから、鉄塔全体の昇塔防止効果に問題があった。
【０００４】
また、従来の周囲柵については、基礎工事のための隣接土地を必要とし、設置に多大なる費用がかかると共に、工事期間も長く、かつ、設置工事対応であるため、早期に対応できないのが現状であり、周辺環境への配慮も必要となるなどの問題を有する。
【０００５】
本考案はこのような従来の問題点に鑑みてなされたもので、宅地化など土地の状況変化に早期に対応でき、安価で場所を取らず、住宅密集地などでも簡単かつコンパクトに設置できる昇塔防止装置を提供することを目的としたものである。
【課題を解決するための手段】
【０００６】
上述の如き従来の問題点を解決し、所期の目的を達成するため本考案の要旨とする構成は、鉄塔の脚柱及び／又は斜材の基底部側を囲繞すべく組み付けられる側面ユニットと内面ユニットとを備えてなる昇塔防止装置に存し、延いては、折り畳み自在に連結された側面ユニットと内面ユニットとを組み合わせて鉄塔の脚柱及び／又は斜材を囲繞すべく立体的に整合される昇塔防止装置に存する。
【０００７】
また、鉄塔の脚柱及び／又は斜材の基底部側面を覆うべく二折り自在に連結された側面ユニットと、該側面ユニットの折曲連結部と対向配置に組み付けられて前記脚柱及び／又は斜材の基底部内面を囲繞すべく前記側面ユニットと立体的に整合される内面ユニットとを備えるのが良い。
【０００８】
更に、前記ユニットは、下端側が鉄塔を支持する基礎の上に収まるように縮径された基底部と、該基底部から上位に行くに連れて前記脚柱及び／又は斜材に沿って拡径されるべく形成された側端部とを備えるのが良い。
【考案の効果】
【０００９】
本考案は上述のように構成され、鉄塔の脚柱及び／又は斜材の基底部側を囲繞すべく組み付けられる側面ユニットと内面ユニットとを備えてなること、延いては、折り畳み自在に連結された側面ユニットと内面ユニットとを組み合わせて鉄塔の脚柱及び／又は斜材を囲繞すべく立体的に整合されることによって、基礎工事のための隣接土地の使用を必要とせず、側面ユニットと内面ユニットとを連結するだけで簡単かつコンパクトに鉄塔へ取り付けできるといった効果を奏する。
【００１０】
また、鉄塔の脚柱及び／又は斜材の基底部側面を覆うべく二折り自在に連結された側面ユニットと、該側面ユニットの折曲連結部と対向配置に組み付けられて前記脚柱及び／又は斜材の基底部内面を囲繞すべく側面ユニットと立体的に整合される内面ユニットとを備えることによって、安価で場所を取らず、住宅密集地などの鉄塔でも簡単かつコンパクトに設置できる昇塔防止装置を提供できる。
【００１１】
更に、前記ユニットは、下端側が鉄塔を支持する基礎の頂面に収まるように縮径された基底部と、該基底部から上位に行くに連れて前記脚柱及び／又は斜材に沿って拡径されるべく形成された側端部とを備えたことによって、鉄塔の脚柱にブーツを履かせたように取り付けできるため、外観を損ねることが無く、周辺環境へもマッチすることができるといった効果を奏する。
【００１２】
その他、本考案の昇塔防止装置は、構成が単純であるため、大量生産に適し価格も低廉なものとして需用者に供給できるなど、本考案を実施することはその実益的価値が甚だ大である。
【考案を実施するための最良の形態】
【００１３】
鉄塔の脚柱及び／又は斜材の基底部側面を覆うべく二折り自在に連結された側面ユニットと、該側面ユニットの折曲連結部と対向配置に組み付けられて前記脚柱及び／又は斜材の基底部内面を囲繞すべく前記側面ユニットと立体的に整合される内面ユニットとを備え、両ユニットは、下端側が鉄塔を支持する基礎の頂面に収まるように縮径された基底部と、該基底部から上位に行くに連れて前記脚柱及び／又は斜材に沿って拡径されるべく形成された側端部とを備える。
【実施例】
【００１４】
次に本考案の実施の一例を図面を参照しながら説明する。図中Ａは、本考案に係る昇塔防止装置の一実施例を示すものであり、この昇塔防止装置Ａは、図１に示すように、折り畳み自在に連結された側面ユニット１，１と内面ユニット２とを備えている。
【００１５】
側面ユニット１，１は、逆台形状に形成されたステンレス製(SUS304）の取付フレーム１ａと、該取付フレーム１ａ内に張設された金網１ｂとを備えている。
【００１６】
また、側面ユニット１，１は、下端側が鉄塔の脚柱３を支持する基礎４の天端(頂面)上に収まるように縮径された基底部１ａ１  と、該基底部１ａ１  から上端部１ａ２  に行くに連れて次第に前記脚柱３の斜材５に沿って拡径されるべく形成された側端部１ａ３  とを備えている。
【００１７】
内面ユニット２は、図２に示すように、二折り自在に形成された逆台形状のステンレス（SUS304）製の取付フレーム２ａと、該取付フレーム２ａ内に張設された金網２ｂとを備えている。
【００１８】
更に、内面ユニット２は、側面ユニット１と同様、下端側が前記基礎４の上に収まるように縮径された基底部２ａ１  と、該基底部２ａ１  から上端部２ａ２  に行くに連れて次第に拡径されるべく形成された側端部２ａ３  とを備えており、中心より二つに折り畳めるように中心の折畳フレーム２ａ４  の間には蝶番（図示せず）が連結されている。
【００１９】
また、両ユニット１には、ステップボルト６を着脱自在に螺合するための取付孔１ｃがそれぞれ一定間隔に形成されており、ステップボルト６をねじ込み固定するためのナット(図示せず)を溶着している。尚、ステップボルト６は、例えば、降伏点応力度３７１０ｋｇ／ｃｍ３  のものを使用するものであるが、同ステップボルト６にかかる応力度について以下に簡単に説明する。
【００２０】
図５に示すように、人の荷重Ｗ＝７５ｋｇとした場合、最大モーメントは、
Ｍ＝Ｗ×Ｌ＝７５ｋｇ×１２．８ｃｍ＝９６０ｋｇ-ｃｍとなり、
また、ステップボルト６の断面係数は、
Ｚ＝πｄ３  ／３２≒０．１ｄ３  ＝０．４ｃｍ３ 
ステップボルト６にかかる応力度は、
Ｍ／Ｚ＝９６０／０．４＝２４００ｋｇ／ｃｍ３
となり、降伏点応力度が３７１０ｋｇ／ｃｍ３  （３７１０＞２４００）であることからして、強度が十分であること明白である。
【００２１】
このように構成される本考案の昇塔防止装置Ａの取付法を簡単に説明すると、まず、図６(ａ)に示すように、鉄塔の脚柱３及び斜材５の所望高さに水平な取付金具７，７を取り付けると共に、基礎石４の天端に下部保護材８を設置する（図６(ｂ)参照）。前記取付金具７，７の高さとしては、例えば、基礎石４の天端から２．２ｍが良い。
【００２２】
次いで、図６(ｃ)に示すように、直角に折り曲げた状態で、側面ユニット１の基底部１ａ１  が基礎石４の天端に載るように設置し(図３乃至図４)、前記取付金具７，７にボルト(図示せず)で固定する。
【００２３】
次いで、内面ユニット２を吊金具(図示せず)を介して吊り上げて前記側面ユニット１と整合すべく螺着するだけで、図７に示すように、簡単に鉄塔の脚柱３及び斜材５の下端側を囲繞すべくコンパクトに設置できるのである（図３乃至図４参照）。
【００２４】
尚、本考案の昇塔防止装置は、本実施例に限定されることなく、本考案の目的の範囲内で自由に設計変更し得るものであり、本考案はそれらの全てを包摂するものである。
【図面の簡単な説明】
【００２５】
【図１】図１(ａ)は本考案に係る昇塔防止装置の平面図、図１(ｂ)は同昇塔防止装置の側面ユニットを示す説明図である。
【図２】同昇塔防止装置の内面ユニットを示す説明図である。
【図３】同昇塔防止装置の設置状態を示す説明図である。
【図４】図４(ａ)は同昇塔防止装置の設置状態を示す平面図、図４(ｂ)は側面図である。
【図５】本実施例で使用するステップボルトの説明図である。
【図６】同昇塔防止装置の取付方法を示す説明図である。
【図７】同昇塔防止装置の取付方法を示す説明図である。
【図８】鉄塔の脚柱及び斜材の取り付け基礎を示す説明図である。
【符号の説明】
【００２６】
１  側面ユニット
１ａ  取付フレーム
１ａ１  基底部
１ａ２  上端部
１ａ３  側端部
１ｂ  金網
１ｃ  取付孔
２  内面ユニット
２ａ  取付フレーム
２ａ１  基底部
２ａ２  上端部
２ａ３  側端部
２ｂ  金網
３  脚柱
４  基礎
５  斜材
６  ステップボルト
７  取付金具
８  下部保護材
【図１】
0003119736.tif 000003
【図２】
0003119736.tif 000004
【図３】
0003119736.tif 000005
【図４】
0003119736.tif 000006
【図５】
0003119736.tif 000007
【図６】
0003119736.tif 000008
【図７】
0003119736.tif 000009
【図８】
0003119736.tif 000010